(57)【要約】      （修正有）【課題】健常者でも抵抗無く持ち歩くことができて、ＱＲコード（登録商標）の読み取り手段にて緊急時などの読み取りが必要な時に読み取らせることができるＱＲコードを備えた携帯用電気機器を提供する。【解決手段】少なくともＱＲコード２と携帯用電気機器１の所有者の写真３が設けられたＱＲコードを備えた携帯用電気機器であって、ＱＲコード２と携帯用電気機器１の所有者の写真３は、携帯用電気機器１の不使用中には表示され、使用中は消えることにより、上記従来の課題を解決したものである。【選択図】図１
0003216843.tif 000002
【実用新案登録請求の範囲】
【請求項１】
少なくともＱＲコードと携帯用電気機器の所有者の写真が設けられたＱＲコードを備えた携帯用電気機器であって、前記ＱＲコードと携帯用電気機器の所有者の写真は、携帯用電気機器の不使用中には表示され、使用中は消えることを特徴とするＱＲコードを備えた携帯用電気機器。
【請求項２】
前記ＱＲコードと携帯用電気機器の所有者の写真と併設して警報音が鳴るスイッチ釦が設けられている前記請求項１に記載のＱＲコードを備えた携帯用電気機器。
【請求項３】
前記ＱＲコードは、一般のスマートホーンや携帯電話で読み取ることができる第１のＱＲコードと、公的機関等で所有された専用読み取り機で読み取ることができる第２のＱＲコードで構成されている請求項１又は請求項２のいずれか１項に記載のＱＲコードを備えた携帯用電気機器。
【考案の詳細な説明】
【技術分野】
【０００１】  本考案は、スマートホーン、携帯電話のような携帯用電気機器にＱＲコードを備えた携帯用電気機器に関するものである。
【背景技術】
【０００２】  従来より、ペンダントヘッドの表面にＱＲコード（登録商標）を装着したものはあった。下記の特許文献１に示すものは、ＱＲコード携帯用ペンダントおよびＱＲコード迷子札に関するものであり、電話番号、住所、氏名などの個人情報をＱＲコード化し、そのＱＲコードを印刷したものをペンダントヘッドに装着し、ＱＲコードの読み取り手段にて緊急時などの読み取りが必要な時に読み取らせるものである。【０００３】  しかしながら、このものは、ペンダントを首にかけるようにしたものであり、健常者にとっては大げさすぎて首にかけて持ち歩くには抵抗があり、特に女性にとってはこのペンダントを使用すると、ネックレス等の装飾品の使用ができないという問題があった。
【先行技術文献】
【特許文献】
【０００４】
【特許文献１】実用新案第３１２２８６９号公報
【考案の概要】
【考案が解決しようとする課題】
【０００５】  本考案は、上記従来の課題を解決するためになされたものであり、健常者でも抵抗無く持ち歩くことができて、ＱＲコードの読み取り手段にて緊急時などの読み取りが必要な時に読み取らせることができるＱＲコードを備えた携帯用電気機器を提供することにある。
【課題を解決するための手段】
【０００６】  上記課題を解決するため、本考案のＱＲコードを備えた携帯用電気機器は、少なくともＱＲコードと携帯用電気機器の所有者の写真が設けられたＱＲコードを備えた携帯用電気機器であって、前記ＱＲコードと携帯用電気機器の所有者の写真は、携帯用電気機器の不使用中には表示され、使用中は消えることを特徴とする。
又、本考案にあっては、前記ＱＲコードと携帯用電気機器の所有者の写真と併設して警報音が鳴るスイッチ釦が設けられていることが望ましい。
又、本考案にあっては、前記ＱＲコードは、一般のスマートホーンや携帯電話で読み取ることができる第１のＱＲコードと、公的機関等で所有された専用読み取り機で読み取ることができる第２のＱＲコードで構成されていることが望ましい。
【考案の効果】
【０００７】  本考案のＱＲコードを備えた携帯用電気機器は、少なくともＱＲコードと携帯用電気機器の所有者の写真が設けられたＱＲコードを備えた携帯用電気機器であって、前記ＱＲコードと携帯用電気機器の所有者の写真は、携帯用電気機器の不使用中には表示され、使用中は消えることを特徴とするものであるから、健常者でも抵抗無く持ち歩くことができて、ＱＲコードの読み取り手段にて緊急時などの読み取りが必要な時に読み取らせて連絡先に連絡する等を行うことができるという効果がある。
又、請求項２のように、前記ＱＲコードと携帯用電気機器の所有者の写真と併設して警報音が鳴るスイッチ釦が設けられているものは、警報音を防犯に役立てることや倒壊した建物の下敷きになった場合の報知手段としても使用することができるという効果がある。
又、請求項３のように、前記ＱＲコードは、一般のスマートホーンや携帯電話で読み取ることができる第１のＱＲコードと、公的機関等で所有された専用読み取り機で読み取ることができる第２のＱＲコードで構成されているものは、個人情報のセキュリティを高めることができるという効果がある。
【図面の簡単な説明】
【０００８】
【図１】図１は、本考案のＱＲコードを備えた携帯用電気機器の正面図。
【考案を実施するための形態】
【０００９】  以下、本考案の実施の形態を図１に基づいて詳述すると、携帯用電気機器１は、縦方向が長尺となったスマートホーンであり、上方部にＱＲコード２と、携帯用電気機器の所有者の写真３と、ＱＲコード２と携帯用電気機器の所有者の写真３と併設するＱＲコード２と携帯用電気機器の所有者の写真３の間に警報音が鳴るスイッチ釦４が設けられてスマートホーンの長尺方向に対し直交する方向が長尺となった長方形形状の枠５内に配設されている。ＱＲコード２と写真３とスイッチ釦４と枠５は、携帯用電気機器の不使用中には表示され、使用中は消えるようになっており、使用中の邪魔にならないようになっている。スマートホーンには上部にカメラ機能が設けられているが、これらを回避してＱＲコード２、写真３、スイッチ釦４と、枠５が設けられている。
【００１０】  ＱＲコード２は、携帯用電気機器の所有者の氏名、緊急連絡先、性別からなり、一般のスマートホーンや携帯電話で読み取ることができる第１のＱＲコードと、生年月日、住所、本人の携帯番号、自宅の電話番号、既往症、血液型、本人認証機能として使用可能な身長・怪我・ほくろ等の身体的特徴、薬品アレルギー、家族などの緊急連絡先などの公的機関、救急救命士等で所有された専用読み取り機で読み取ることができる第２のＱＲコードで構成されている。
【００１１】  写真３は、スマートホーンや他のカメラで撮影された画像を使用することが出来る。
【００１２】  警報音が鳴るスイッチ釦４は、ＱＲコード２、写真３を電気機器に導入するアプリを使用する際に導入することができるようになっており、ＱＲコード２、写真３も年齢、住所移転、電話番号の変更、既往症など必要に応じて自分で変更できるようになっている。
【００１３】  ＱＲコード２の緊急連絡先の電話番号及び携帯電話番号は、携帯電話に表示されたものに触れることで発信され、３０秒で相手先に着信できるものであり、電気機器１の使用者が所有されている携帯電話が鳴れば本人の確認ができるものであり、身体的特徴（怪我・ほくろなど）により、身体的特徴が一致しておれば、本人の確認ができ本人認証機能に含まれている。本人認証機能は、電気機器１を所有している者が本当の所有者であることの確認を行うことができ、例え、本人と異なった者が何らかの原因により所有していたとしても、本人と異なったＱＲコードの情報が伝わることが無く、正しい情報に基づいて治療がなされ、医療事故を起こすことが無いという効果があるものである。
【符号の説明】
【００１４】    １    電気機器
２    ＱＲコード
３    写真
４    スイッチ釦
５    枠
【図１】
0003216843.tif 000003